(57)【要約】【課題】  従来、仏壇としては一般には使用されなかった自然石を適用して、先祖の霊が浄土に戻る場所としてふさわしい金仏壇並に荘厳ではあるが、それよりもさらに落ち着いた印象を持つ仏壇を提供する。【解決手段】  自然石が持つ微妙な表面模様を仏壇の荘厳さの付与に利用するもので、表面加工した自然石の表面模様を、少なくとも、仏壇を構成する台輪１、壁５、扉３任意の部位に適合させて、その石材の加工特性に合わせて箱状、板材、台状、あるいは数珠状に加工して使用する。また、華麗さを持たせるためには、本体内面を金張りしたり、外壁、扉外面に金張り模様を施す。【選択図】  図２
2005095339.tif 000002
【特許請求の範囲】
【請求項１】
表面加工した自然石を仏壇の構成材として使用した仏壇。
【請求項２】
自然石の板材の外縁を枠材で補強した請求項１に記載の仏壇。
【請求項３】
仏壇の外面に金の唐草模様が設けられており、この金の唐草模様が枠あるいは石材の連結部材と一体的に設けられた唐草模様部材から形成されている請求項１または２に記載の仏壇。
【発明の詳細な説明】
【技術分野】
【０００１】
本発明は、仏壇、とくに、石材を使用した家庭に設置される仏壇に関する。
【背景技術】
【０００２】
わが国国民の精神生活の支柱になっている仏教の意識は家庭にある仏壇の前での合掌から始まる。この仏壇の起こりは、非特許文献１によれば、１千年以上も前の天武天皇の時代に諸国に造られた仏舎にあると云われ、わが国最古の仏壇は、法隆寺の「玉虫の厨子」とされている。
【０００３】
それが、時代を経て各宗派によって少しずつ変化し、それが室町時代の「書院造り」の住宅形式ができたとき、床の間ができ、そこに先祖を祀る神棚と近い先祖を祀る仏壇に分かれるようになった。
【０００４】
仏壇は、仏教の宇宙感を示す須弥山世界を現しており、ご本尊、すなわち、釈迦様を安置する神聖な場所とされ、そこに、近い先祖の霊を納め、近い先祖、亡き家族の霊が浄土に還る場所とされている。
【０００５】
この先祖、亡き家族の霊が浄土に還る場所である家庭内に設けた仏壇としては、この極楽浄土を現わす漆と金箔による荘厳な金仏壇と、自然の木目を活かした格調高い唐木仏壇の二つに大別できる。これに加えて、例えば、下記特許文献に記載のように、近年、変化する住宅事情によって、マンション、洋間に適した家具調、あるいは材質として、プラスチックスあるいはガラス質からなる仏壇が開発され、さらには、仏壇に不可欠な、香炉、花器、燭台の３具足を近代的に改装して取り込んだ、従来の金仏壇と唐木仏壇とは違ったジャンルの仏壇が現れている。
【０００６】
また、他方において、近年、家族の少子化が進み、犬猫等を初めとするペット類の家庭内の位置づけが変わり、家族同然に立場となっている。このペットが亡くなったときは、通常特許文献３にも開示されているペット専用の供養塔に納骨されているが、生前のペットを偲んで家庭内にペット専用の仏壇を設けるニーズが高まりつつある。
【特許文献１】特公平０６−５７１８３号公報
【特許文献２】特開平０７−１３６お５７号公報
【特許文献３】特開２０００−１３９６７９号公報
【非特許文献１】「お仏壇の本」（株）チクマ優秀版権社  平成１４年４月１５日発行
【発明の開示】
【発明が解決しようとする課題】
【０００７】
本発明は、従来、仏壇としては一般には使用されなかった自然石を適用して、先祖の霊が浄土に戻る場所としてふさわしい金仏壇並に荘厳ではあるが、それよりもさらに落ち着いた印象を持つ仏壇を提供する。
【課題を解決するための手段】
【０００８】
本発明は、自然石が持つ微妙な表面模様を仏壇の荘厳さの付与に利用する着想に基づくもので、表面加工した自然石の表面模様を、少なくとも、仏壇の外面構成材として使用したことを特徴とする。
【０００９】
自然石は、仏壇を構成する台輪、壁、扉、本体、さらには、天板、宮殿、位牌段、さらにはご本尊を含め、任意の部位に適合させて、その石材の加工特性に合わせて箱状、板材、台状、あるいは数珠状に加工して使用する。
【００１０】
また、華麗さを持たせるためには、本体内面を金張りしたり、外壁、扉外面に金張り模様を施す。
【００１１】
とくに、表面加工した自然石の箱材あるいは板材を組み立てるに際しては、加工石材相互を強力接着剤によって連結することができるが、その組み立てに際しての石材の脆さを補うために、枠材その他の連結用部材を使用することもできる。
【００１２】
また、石材を使用した仏壇であっても、その壁面、扉面の内外面に、唐草模様のような金模様を施して、荘厳さを現出することが必要となる。その際、壁面、扉への唐草文様のような金模様を形成するための模様部材を連結用部材に一体的に取り付けたものを使用する。これによって石材の組み立てと同時に、組み立てられた石材表面に各種金模様が形成される。
【００１３】
また、使用する石材としては、その加工された石材の表面に現われる模様を利用するもので任意の石材が利用できる。具体的には、建築材として広く使用されている御影石の他、大理石、青石、蛇紋岩などを壁、扉などに使用し、各種小部分には室内の飾り石として使用されている各種紋様石、色彩石が使用できる。
【発明の効果】
【００１４】
本発明の仏壇は、各種の自然石を表面加工することによって現れる模様を、その壁面、扉、上台輪の表面に現出させるので、従来の木目を活かした唐木仏壇とは異なった格調高い仏壇とすることができ、また、その部分に金色模様を施すことによって、従来の金仏壇よりもしぶい感覚の趣きのある仏壇とすることができる。
【発明を実施するための最良の形態】
【００１５】
以下、本発明の実施す形態を実施例によって説明する。
【実施例】
【００１６】
本発明をペットのための２０センチ高さ程度の厨子型仏壇に適用した例によって説明する。
【００１７】
図１及び図２は仏壇１０の外観を示すもので、図１は扉を閉めた外観を、図２は扉を開けて仏壇の内部構造を示す。
【００１８】
これらの図に示すように、外観上は従来の仏壇と同様の形態を示すが、下台輪１、上台輪２、扉３、裏壁４、両壁５、６は、自然石から構成されている。上台輪２には金の塔飾り７が、また、両扉の合体位置の外面には金の唐草模様８が、また、両扉の外面には家紋９が刻まれ、そこに金粉塗りが施されている。
【００１９】
また、扉を開けた状態て仏壇の内部構造を示す図２において、下台輪１の上面が仏壇内の下段の焼香台１１を構成し、その上段には位牌壇１２が、そして最上段にはご本尊を載置するための上壇１３が配置されている。 また、その内部には、任意に骨を納める箇所を設けることもできる。１４は門飾りを示す。そして、奧壁、両壁の内側と、天井、さらに、位牌壇と上壇を構成する板材の前面には金箔が施され、荘厳さを演出している。
【００２０】
図３は、図１と図２に示す仏壇を組み立てるための基本的な構成部材を示す。
【００２１】
同図において、下台輪１、上台輪２、扉３、裏壁４、両側壁５、６、位牌壇１２、上壇１３のそれぞれは、自然石の石材が使用され、加工の容易さからは大理石が採用され、模様のユニークさからは蛇紋岩などを任意使用できるが、仏壇としての荘厳さと加工面からは、いわゆる玉石と称せられる中国に広く産出される自然石が好ましい。これらの部材は、自然石の加工性の具合から、一体化した箱状体として自然石から加工することも可能である。これによって、組み立ての手間を省くことができる。
【００２２】
また、その組み立てに際しては、石材そのものは材質的に脆く、従来の唐木仏壇の組み立てに採用されてきた「芯通し」の手法は採用できず、それに代えて、正確に、且つ緻密に組み立てる手段が必要となる。
【００２３】
とくに、加工された板状石材の角は脆く、仏壇の微細な加工と組み立てに際しては、その角の欠け落ちが致命的な欠陥となるので、、扉３、裏壁４、両側壁５、６、位牌壇１２、上壇１３用の板状石材の各端には枠材１５を被せて補強する。そして、組み立て後その枠材１５が露出する場所には、最終的には、金色被覆を施す。
【００２４】
この端面を補強した各板状石材の連結には、各種連結器具の他、強力な瞬間接着剤による連結が可能であるが、この実施例の厨子型仏壇においては、裏壁４と両側壁５、６の連結接合に、アングル接合具１６を採用した。
【００２５】
そして、図示するように、石材の両側壁面への金の唐草模様の形成も兼ねて、アングル接合具１６の両側壁側の外面に金の唐草模様部材８を一体的に設けた。このアングル接合具１を使用することによって、脆い石材製の接合端面が保護された状態で、確実に裏壁４と両側壁５、６は連結接合されると同時に、両側面壁の外面には金の唐草模様８が形成される。
【００２６】
このようにして組み立てられたこれら裏壁４、両側壁５、６は、上下からそれぞれ枠材１８を取り付けて、固定し、補強する。
【００２７】
次いで、前面に家紋９を彫刻した両扉３を両側壁５、６に自在を開閉を可能とするために連結用ヒンジ１７を使用して取り付ける。この扉３と両壁５、６の外面に唐草模様を設けるためには、この連結用ヒンジ１７あるいは、枠材１５の何れかに、唐草模様部材８を枠材１５か連結用ヒンジ１７に一体的に設けることによって、その組み立てと同時にその所用壁の外面に唐草模様を形成できる。
【００２８】
このように準備された四面体の上下に、固定用枠１８によって、下台輪１と上台輪２を取り付け、さらに、位牌壇１２と上壇１３を裏壁４の内面に接着剤によって取り付けて、仏壇の基本体はできあがる。
【００２９】
ここにおいて、仏壇の屋根を形成する上台輪２は自然石からなる天板であってもよいが、小型の仏壇の場合は、全体高さが低いので俯瞰されることになるので、屋根部分を設けるのがよい。
【００３０】
そして、最後に、この基本体の外面に唐草模様を密着固定し、扉の外面に家紋９に金箔を張り付け、基本体内面に金箔を張り付け、数珠玉のような装飾具を内側に吊り下げて仏壇は完成する。
【産業上の利用可能性】
【００３１】
本発明の仏壇は、従来の金仏壇、唐木模様仏壇、さらには、家具調の仏壇とは全く異なった印象を与えるもので、一般の各種宗派の仏壇に適用できるばかりではなく、とくに、材質面からも、また、加工面からペット用のような小型の仏壇にも好適である。
【図面の簡単な説明】
【００３２】
【図１】本発明を適用した厨子型仏壇の外観を示す。
【図２】図１に示す厨子型仏壇を開扉した状態を示す。
【図３】図１と図２に示す厨子型仏壇の組立て部材を示す。
【符号の説明】
【００３３】
１０  仏壇
１  下台輪、  ２  上台輪、  ３  扉、  ４  裏壁、  ５、６  両壁、
７  塔飾り、  ８  唐草金模様、  ９  家紋
１１  焼香台、  １２  位牌壇、 １３  上壇、  １４  門飾り、  １５、１８  枠材
１６  アングル接合具、  １７  連結用ヒンジ  
【図１】
2005095339.tif 000003
【図２】
2005095339.tif 000004
【図３】
2005095339.tif 000005